(57)【要約】【課題】  例えばプロユースのヘアドライヤーにおいて、風洞による圧力損失を少なくして、モータの回転数を高くすることなく、またファンの外径を大きくすることなく、一定の風量の強い風を発生させる。【解決手段】  略円筒状の風洞部３を有するハウジング２と、風洞部３に設けられたファン６、ファン６を回転させるためのモータ７及びヒータ５を備えたヘアドライヤー１において、ファン６は、回転軸と、その回転軸に略直交する円板と、その円板に対して略垂直で、かつ前記回転軸を中心とする放射方向に対して所定方向に湾曲した複数の羽根を有する遠心型のファンであり、ファン６の外径をＤ１、ハウジング２の風洞部３の風の吹き出し口９の内径をＤ２として、Ｄ１／Ｄ２の値を１．０以上１．４５以下の範囲に設定する。【選択図】図１
2006263249.tif 000002
【特許請求の範囲】
【請求項１】
略円筒状の風洞部を有するハウジングと、前記風洞部に設けられたファン、ファンを回転させるためのモータ及びヒータを備えたヘアドライヤーにおいて、
前記ファンは、回転軸と、その回転軸に略直交する円板と、その円板に対して略垂直で、かつ前記回転軸を中心とする放射方向に対して所定方向に湾曲した複数の羽根を有する遠心型のファンであり、
前記ファンの外径をＤ１、前記ハウジングの風洞部の風の吹き出し口の内径をＤ２として、Ｄ１／Ｄ２の値が１．０以上１．４５以下の範囲にあることを特徴とするヘアドライヤー。
【請求項２】
前記ファンの周りの前記風洞部の内径をＤ３として、Ｄ１／Ｄ３の値が０．６以上０．７５以下の範囲にあることを特徴とする請求項１に記載のヘアドライヤー。
【発明の詳細な説明】
【技術分野】
【０００１】
本発明は、ヘアドライヤーのファン及び風洞の構成に関する。
【背景技術】
【０００２】
プロユースのヘアドライヤーなど、大容量のヘアドライヤーにおいては、風の出口を絞って、強い風を発生させることが望まれている。ところが、風の出口を絞ると、流路における圧力損失が大きくなるため、ファンの出力を高くしなければならない。また、このような圧力損失の大きい条件下では、例えば特許文献１に記載されているように、一般的に遠心型のファンが使用されることが多い。
【０００３】
上記のように風の出口を絞ると、流路が狭くなり、圧力損失が大きくなるので、必要な風量を確保するためには、モータの回転数を高くしたり、ファンの外径を大きくしたりする必要がある。しかしながら、モータの回転数を高くしたり、ファンの外径を大きくしたりすると、モータに掛かる負担が大きくなるため、一定の限界がある。従って、モータの負担を大きくすることなく、一定の風量を確保するために、圧力損失の少ない風洞を設計することが望まれている。
【特許文献１】特開２００１−２０４５３７号公報
【発明の開示】
【発明が解決しようとする課題】
【０００４】
本発明は、上記従来例の問題を解決するためになされたものであり、風洞による圧力損失を少なくして、モータの回転数を高くすることなく、またファンの外径を大きくすることなく、一定の風量の強い風を発生させうるヘアドライヤーを提供することを目的としている。
【課題を解決するための手段】
【０００５】
上記目的を達成するために請求項１の発明は、略円筒状の風洞部を有するハウジングと、前記風洞部に設けられたファン、ファンを回転させるためのモータ及びヒータを備えたヘアドライヤーにおいて、前記ファンは、回転軸と、その回転軸に略直交する円板と、その円板に対して略垂直で、かつ前記回転軸を中心とする放射方向に対して所定方向に湾曲した複数の羽根を有する遠心型のファンであり、前記ファンの外径をＤ１、前記ハウジングの風洞部の風の吹き出し口の内径をＤ２として、Ｄ１／Ｄ２の値が１．０以上１．４５以下の範囲にあることを特徴とする。
【０００６】
また、請求項２の発明は、上記請求項１のヘアドライヤーにおいて、前記ファンの周りの前記風洞部の内径をＤ３として、Ｄ１／Ｄ３の値が０．６以上０．７５以下の範囲にあることを特徴とする。
【発明の効果】
【０００７】
ファンの外径Ｄ１を大きくする（Ｄ１／Ｄ２を大きくする）と、ファンの１回の回転で吸い込まれる空気量が増加し、風量が増加する。しかしながら、ハウジングの風洞部におけるファンの近傍から風の吹き出し口に至る流路の絞り率が大きくなり、風洞部による圧力損失が増加する。そのため、ファンの外径Ｄ１をあまり大きくしすぎても効率的でなく、Ｄ１／Ｄ２の値は１．４５以下であることが好ましい。また、ファンの外径Ｄ１を風の吹き出し口の内径Ｄ２よりも小さくすると（すなわち、Ｄ１／Ｄ２＜１．０）、風洞部における流路拡大による損失が生じる。従って、Ｄ１／Ｄ２の値は１．０以上であることが好ましい。すなわち、請求項１のように、Ｄ１／Ｄ２の値が１．０以上１．４５以下の範囲になるようにファンの外径Ｄ１及びハウジングの風洞部の風の吹き出し口の内径Ｄ２を設定すれば、従来と同じファン及びモータを用いた場合であっても、ヘアドライヤーの圧力損失を小さくして、風量を多くすることができる。
【０００８】
次に、ファンの外径Ｄ１とファンの周りの風洞部の内径Ｄ３の隙間が大きくなる、すなわちＤ１／Ｄ３が小さくなると、ファンの回転軸方向の空気の流れが発生しにくくなる。そのため、Ｄ１／Ｄ３の値が０．６よりも小さくなると、最大ファン効率の値が急激に低下する。また、ファンの外径Ｄ１とファン６の周りの風洞部の内径Ｄ３の隙間が小さくなる、すなわちＤ１／Ｄ３が大きくなると、ファンの遠心力を十分に利用することができなくなり、ファン効率が低下する。そのため、Ｄ１／Ｄ３の値が０．７５よりも大きくなると、最大ファン効率の値が急激に低下する。従って、請求項２のように、Ｄ１／Ｄ３の値が０．６以上０．７５以下の範囲となるようにファンの外径Ｄ１及びハウジングのファンの周りの風洞部の内径Ｄ３を設定すれば、従来と同じファン及びモータを用いた場合であっても、ファン効率（すなわちファン出力／モータ出力）を最大化することができる。
【発明を実施するための最良の形態】
【０００９】
本発明の一実施形態に係るヘアドライヤーについて、図面を参照しつつ説明する。本実施形態に係るヘアドライヤー１の構成を図１に示す。図１に示すように、本実施形態に係るヘアドライヤー１のハウジング２は、略円筒状の風洞部３と、風洞部３に対して略直交する方向に設けられたグリップ部４を有している。さらに、ヘアドライヤー１は、風洞部３の内部に設けられたヒータ５、ファン６及びファン６を回転駆動するためのモータ７、風洞部３の風の吸い込み口８及び風の吐き出し口９に装着された異物侵入防止のための格子１０及び１１、グリップ部４に設けられた操作スイッチ１２、風の吐き出し口９に着脱可能に装着されたノズル１３などを備えている。なお、ファン６は風の吸い込み口８の近傍に配置されている。
【００１０】
正面から見たファン６の形状を図２に示す。ファン６は、一般的に圧力損失が大きい場合に使用される遠心型のファンであり、その回転軸６１に対して略直交する（図１に示すように、回転軸６１から周辺部に向けて風の流路の下流側にゆるく傾斜していてもよい）円板６２と、円板６２に対して略垂直で、かつ回転軸６１を中心とする放射方向に対して所定方向に湾曲した複数の羽根６３を有している。隣接する２つの羽根６３に着目すると、回転軸６１から円板６２の外周部に進むにつれて、２つの羽根６３の間隔が広くなるように形成されている。
【００１１】
ファン６の外径Ｄ１とハウジング２の風の吹き出し口９の内径Ｄ２の比（Ｄ１／Ｄ２）とヘアドライヤーの圧力損失の関係を図３に示す。図３中、横軸はファン６の外径Ｄ１と風の吹き出し口９の内径Ｄ２の比（Ｄ１／Ｄ２）を表し、縦軸はヘアドライヤーの圧力損失を表す。なお、風の吹き出し口９の内径Ｄ２は、ノズル１３を装着しない状態での風の吹き出し口９の内径を意味し、かつハウジング２の内径であって、ヒータ５などの内蔵物の内径を意味するものではない。また、ファン６の外径とは、円板６２の外径ではなく、羽根６３の最外部の径を意味する。
【００１２】
図３からわかるように、Ｄ１／Ｄ２の値が１．０と１．４５の間でヘアドライヤーの圧力損失の値が極小値をとり、１．０よりも小さくなるか、あるいは１．４５よりも大きくなると、ヘアドライヤーの圧力損失が増加する傾向にある。モータ７の回転数が一定であると仮定して、ファン６の外径Ｄ１を大きくする（Ｄ１／Ｄ２を大きくする）と、ファン６の１回の回転で吸い込まれる空気量が増加し、風量が増加する。しかしながら、ハウジング２の風洞部３におけるファン６の近傍から風の吹き出し口９に至る流路の絞り率が大きくなり、風洞部３による圧力損失が増加する。そのため、ファン６の外径Ｄ１をあまり大きくしすぎても効率的でないことがわかる。また、ファン６の外径Ｄ１を風の吹き出し口９の内径Ｄ２よりも小さくすると（すなわち、Ｄ１／Ｄ２＜１．０）、風洞部３における流路拡大による損失が生じる。従って、Ｄ１／Ｄ２の値が１．０以上１．４５以下の範囲になるようにファン６の外径Ｄ１及びハウジング２の風洞部３の風の吹き出し口９の内径Ｄ２を設定すれば、同じファン６及びモータ７を用いた場合、すなわち同じファン性能でも、ヘアドライヤーの圧力損失を小さくして、風量を多くすることができる。
【００１３】
ここで、ヘアドライヤーの圧力損失の定義を図４に示す。図４中、横軸は風量を表し、縦軸は圧力を表す。ファンＰＱ特性は、ファンの性能を表し、風量が多くなるほど圧力が低下することを示している。一方、圧力損失曲線は、風洞及びその内蔵物による圧力損失を表しており、一般的に風量が多くなるほど圧力損失も増加する。このファンＰＱ特性と圧力損失曲線の交点Ｐが、ここで言うヘアドライヤーの圧力損失となる。風洞及び内蔵物による圧力損失が低減されれば、圧力損失曲線の傾きが緩くなり、ファンＰＱ特性と圧力損失曲線の交点Ｐが図中右側に移動し、交点Ｐの圧力の値が低下し、風量が増加する。
【００１４】
次に、ファン６の外径Ｄ１とファン６の周りの風洞部３の内径Ｄ３の比（Ｄ１／Ｄ３）と最大ファン効率の関係を図５に示す。図５からわかるように、Ｄ１／Ｄ３の値が０．６の付近で最大ファン効率の値が極大値をとり、Ｄ１／Ｄ３の値が０．６よりも小さくなるか、あるいは０．７５よりも大きくなると、最大ファン効率の値が急激に低下することがわかる。この原因は、第１に、ファン６の外径Ｄ１とファン６の周りの風洞部３の内径Ｄ３の隙間が大きくなる、すなわちＤ１／Ｄ３が小さくなると、ファン６の回転軸６１方向の空気の流れが発生しにくくなること考えられる。第２に、ファン６の外径Ｄ１とファン６の周りの風洞部３の内径Ｄ３の隙間が小さくなる、すなわちＤ１／Ｄ３が大きくなると、ファン６の遠心力を十分に利用することができなくなり、ファン効率が低下すると考えられる。従って、Ｄ１／Ｄ３の値が０．６以上０．７５以下の範囲となるようにファン６の外径Ｄ１及びハウジング２のファン６の周りの風洞部３の内径Ｄ３を設定すれば、同じファン６及びモータ７を用いた場合であっても、ファン効率（すなわちファン出力／モータ出力）を最大化することができる。
【００１５】
以上説明したように、ファン６の外径Ｄ１とハウジング２の風洞部３の風の吹き出し口９の内径Ｄ２の比Ｄ１／Ｄ２の値を１．０以上１．４５以下の範囲に設定することにより、従来のものと同じファン６及びモータ７を用いても、すなわち同じファン性能でも、ヘアドライヤーの圧力損失を小さくして、風量を多くすることができる。また、ファン６の外径Ｄ１とファン６の周りの風洞部３の内径Ｄ３の比Ｄ１／Ｄ３の値を０．６以上０．７５以下の範囲に設定することにより、従来のものと同じファン６及びモータ７を用いても、ファン効率（すなわちファン出力／モータ出力）を最大化することができる。その結果、風洞による圧力損失を少なくして、モータの回転数を高くすることなく、またファンの外径を大きくすることなく、一定の風量の強い風を発生させうるヘアドライヤーを得ることができる。
【図面の簡単な説明】
【００１６】
【図１】本発明の一実施形態に係るヘアドライヤーの構成を示す側部断面図。
【図２】上記ヘアドライヤーのファンの形状を示す正面図。
【図３】ファンの外径Ｄ１と風の吹き出し口の内径Ｄ２の比（Ｄ１／Ｄ２）と圧力損失の関係を示すグラフ。
【図４】ヘアドライヤーの圧力損失の定義を説明するためのグラフ。
【図５】ファンの外径Ｄ１とファンの周りの風洞部の内径Ｄ３の比（Ｄ１／Ｄ３）と最大ファン効率の関係を示すグラフ。
【符号の説明】
【００１７】
１  ヘアドライヤー
２  ハウジング
３  風洞部
４  グリップ部
５  ヒータ
６  ファン
６１  回転軸
６２  円板
６３  羽根
７  モータ
８  風の吸い込み口
９  風の吹き出し口
１０、１１  格子
１２  操作スイッチ
１３    ノズル
Ｄ１  ファンの外径
Ｄ２  風の吹き出し口の内径
Ｄ３  ファンの周りの風洞部の内径
【図１】
2006263249.tif 000003
【図２】
2006263249.tif 000004
【図３】
2006263249.tif 000005
【図４】
2006263249.tif 000006
【図５】
2006263249.tif 000007